(57)【要約】【課題】室内ユニットから吹き出される空気を室内の要所に確実に導き、より高い室内空気の調和を図る空気調和機の室内ユニット及び空気調和機を提供すること。【解決手段】筐体１１０の正面に位置して外観形状を構成するフロントパネル１２０と、室内機ファン１４によって送風された空気を室内に向けて吹き出す吹出口Ｂとを備えた空気調和機の室内ユニット１００において、フロントパネル１２０の一部として形成されるとともに、可動することによって吹出口Ｂから送風される空気を誘導する導風板１２３を備えた室内ユニット１００を構成した。該導風板１２３は、吹出口Ｂの上部に位置する回転軸１１１にて回動する構成であり、その他の構成としてスライド、あるいはリンク機構であってもよい。【選択図】　　　図１
2004012060.tif 000002
【特許請求の範囲】
【請求項１】
筐体正面の外観形状をなすフロントパネルと、冷媒が流通する室内熱交換器と、該室内熱交換器に空気を流通させるとともに空調された空気を送風する室内機ファンと、該室内機ファンから送風された空気を室内に向けて吹き出す吹出口とを備えた空気調和機の室内ユニットにおいて、
前記フロントパネルの一部として形成されるとともに、可動することによって前記吹出口から送風される空気を誘導する導風板が備えられていることを特徴とする空気調和機の室内ユニット。
【請求項２】
前記導風板は、前記フロントパネルの一部として位置した場合での下端部近傍に回転軸を有し、該回転軸により前記筐体に対して回動可能とされていることを特徴とする請求項１記載の空気調和機の室内ユニット。
【請求項３】
前記筐体には、前記導風板をスライドさせるスライド手段を備え、
前記導風板は、前記スライド手段により略上下方向にスライドすることを特徴とする請求項１または請求項２記載の空気調和機の室内ユニット。
【請求項４】
前記導風板は、前記筐体に取り付けられたリンク機構によって可動することを特徴とする請求項１から請求項３のいずれか１項記載の空気調和機の室内ユニット。
【請求項５】
前記導風板は、空気の吹き出し方向に応じて所定の位置に固定されることを特徴とする請求項１から請求項４のいずれか１項記載の空気調和機の室内ユニット。
【請求項６】
前記導風板は、前記フロントパネルの長手方向にて複数に分割されていることを特徴とする請求項１から請求項５のいずれか１項記載の空気調和機の室内ユニット。
【請求項７】
前記導風板には駆動装置が連結されてなり、
該駆動装置は、空調運転の制御を行う制御装置により制御されていることを特徴とする請求項１から請求項６のいずれか１項記載の空気調和機の室内ユニット。
【請求項８】
冷媒を圧縮する圧縮機と、冷媒と外気との間で熱交換を行う室外熱交換器と、冷媒と室内空気との間で熱交換を行う室内熱交換機と、冷媒を減圧する膨張機構とを備えて冷凍サイクルが形成された空気調和機において、
請求項１から請求項７記載の空気調和機の室内ユニットが備えられていることを特徴とする空気調和機。
【発明の詳細な説明】
【０００１】
【発明の属する技術分野】
本発明は、室内空気の調和を図る空気調和機の室内ユニット及び空気調和機に関する。
【０００２】
【従来の技術】
従来の空気調和機について図を参照して説明する。
図１は空気調和機の全体構成を説明する斜視図である。図において、符号１０は室内ユニット、２０は室外ユニット、３０は両ユニット間で冷媒を循環させる冷媒配管を示している。
室外ユニット２０は、室内の空気（以下「室内空気」と称する。）によって加熱または冷却された冷媒と室外の空気（以下「外気」と称する。）とを熱交換させる室外熱交換器２３と、該室外熱交換器２３または後述する室内熱交換器１３に冷媒を送出する圧縮機２２と、室外熱交換器２３に外気を流通させるプロペラファン２４等を備えて構成されている。
【０００３】
室内ユニット１０は、外観形状をなす筐体１１内に、外気によって冷却または加熱された冷媒と室内空気とを熱交換させる室内熱交換器１３と、該室内熱交換器１３に室内空気を通過させるタンジェンシャルファン１４（室内機ファン）とを備えて構成されている。
【０００４】
また、筐体１１の前面には、室内空気を筐体１１内に取り込むためのフロントパネル１２と、熱交換された空気が室内に向けて吹き出される吹出口Ｂとが形成されており、該吹出口Ｂには、空気の吹き出し方向を決定するフラップ１６等が備えられている。なお、近年はフロントパネル１２が必ずしも室内空気を取り込むための機能を有しているとは限らず、例えば、筐体１１の上面に吸い込み用のグリルを設けて室内空気を取り込む構造がある。この場合、フロントパネル１２は化粧用の板部材とされることが多い。
【０００５】
図７を用いて室内ユニット１０の従来の構成を詳しく説明する。フロントパネル１２は、筐体１１の一構成要素とされ、室内ユニット１０の前面をなすメインフロントパネル１２ａと、上面をなす上面パネル１２ｂとによって構成されて室内空気を筐体１１内に取り込むこと役目を担っている。
このフロントパネル１２には、固定された複数の板状部材が桟のように配置されており、これらの間、つまりはフロントパネル１２における開口部から室内空気が取り込まれる。また、このフロントパネル１２の裏面側には除塵するためのフィルタ１５が設けられている。フロントパネル１２の下端部は、室内交換器１３から滴下する水を受け取るドレンパン、及びタンジェンシャルファン１４に対する空気の整流を行うスタビライザーを備えた部材１１ａに連続するように配置されている。吹出口Ｂには、先に説明したフラップ１６に加えて左右方向の吹き出し方向を規定する左右ルーバ１７が備えられている。
【０００６】
室内空気は、タンジェンシャルファン１４の回転駆動により、フロントパネル１２あるいは筐体１１の上面から取り込まれ、フィルタ１５を通過した後に室内熱交換器１３を通過する。このことによって、室内空気は室内熱交換器１３を流れる冷媒によって加熱または冷却される。そして、空調された空気は、タンジェンシャルファン１４から吹出口Ｂへ送られ、フラップ１６にて上下の吹き出し方向が規定されて室内に送風される。
【０００７】
【発明が解決しようとする課題】
さて、このように構成された上記従来の空気調和機の室内ユニット１０において、吹出口Ｂから送風される空気の上下吹き出し方向はフラップ１６及び吹出口Ｂの形状によって規定されていたため、吹き出された空気が空調の必要とされる室内の要所に到達していないことがあった。
【０００８】
より詳細に説明すると、フラップ１６は空気の流れ方向において数センチ程度とごく僅かであり、このフラップ１６の幅で水平方向に送風を行ったり、ほぼ真下に送風を行ったりしている。冷房運転時では、必要とする冷風が自ら室内の下方に流れるため、天井付近に設置された室内ユニット１０であっても比較的容易に空調された空気を送ることができる。
【０００９】
しかし、暖房運転時では、温風が室内の上方に浮き上がりやすい状態とされているため、天井付近に設置された室内ユニットでは低温領域とされた床面、言い換えれば、室内の下方に温風を導くことが比較的困難である。このため、吹き出す風量を大きくして温風を室内の下方に送風する方法もあるが、室内熱交換器１３での加熱量が風量に対して不十分となることがあり、有効な解決策とは言い難い。
また、暖房運転時での温風の浮き上がりが生じやすいので、温風となった空気が再び室内ユニット１０に吸い込まれるという問題も発生しやすい。
【００１０】
本発明は上記事情に鑑みて成されたものであり、室内ユニットから吹き出される空気を室内の要所に確実に導き、より高い室内空気の調和を図る空気調和機の室内ユニット及び空気調和機を提供することを目的とする。
【００１１】
【課題を解決するための手段】
本発明は、上記課題を解決するため、以下の手段を採用する。
請求項１に記載の発明は、筐体正面の外観形状をなすフロントパネルと、冷媒が流通する室内熱交換器と、該室内熱交換器に空気を流通させるとともに空調された空気を送風する室内機ファンと、該室内機ファンから送風された空気を室内に向けて吹き出す吹出口とを備えた空気調和機の室内ユニットにおいて、前記フロントパネルの一部として形成されるとともに、可動することによって前記吹出口から送風される空気を誘導する導風板が備えられていることを特徴としている。
【００１２】
このような構成とすることで、吹出口から送風される空気は、フロントパネルの一部として形成された導風板によって誘導される。特に、暖房運転時では送風する空気を室内の下方に向けることが望ましいので、吹出口に通常備わるフラップと、本発明における導風板とによって、送風された空気は目標とする室内の下方に送風されやすくなる。なお、フロントパネルは、筐体内に空気を取り入れるための機能を有するものであってもよい。
【００１３】
請求項２に記載の発明は、請求項１記載の空気調和機の室内ユニットにおいて、前記導風板が、前記フロントパネルの一部として位置した場合での下端部近傍に回転軸を有し、該回転軸により前記筐体に対して回動可能とされていることを特徴としている。
【００１４】
このような構成とすることで、導風板は上記下端部近傍にて回動することになり、回動によってフロントパネルの一部として機能しつつ、また、該フロントパネルから離間して回動することにより、吹出口にから送風される空気を誘導することになる。また、導風板が回動する角度によって、空気が誘導される送風角度は変化する。
【００１５】
請求項３に記載の発明は、請求項１または請求項２記載の空気調和機の室内ユニットにおいて、前記筐体に、前記導風板をスライドさせるスライド手段を備え、前記導風板が、前記スライド手段により略上下方向にスライドすることを特徴としている。
【００１６】
このような構成とすることで、導風板は、スライド手段によって略上下方向に動作し、下方にスライドした場合には、吹出口近傍に垂れ下がるように導風板が配置されることになる。従って、スライドによって下方に位置した導風板によれば、吹出口から送風された空気は、室内の略下方に向かって誘導されることになる。
また、スライド手段にてスライドする導風板は、筐体に支持されて動作する構造となるので、動作、及び配置での剛性が高く確保される。
また、請求項２に記載の発明と組み合わせることで、導風板を回動させた後にスライドさせる構造、または、スライドさせた後に回動させる構造を得ることも可能である。
【００１７】
請求項４に記載の発明は、請求項１から請求項３のいずれか１項記載の空気調和機の室内ユニットにおいて、前記導風板が、前記筐体に取り付けられたリンク機構によって可動することを特徴としている。
【００１８】
このような構成とすることで、導風板は、リンク機構による複数の回動動作が組み合わされた複合動作により、吹出口から送風される空気を誘導できる位置と、フロントパネルの一部分となる位置との間で可動することになる。そして、リンク機構によって動作した導風板によって吹出口から送風された空気が所定の位置に誘導されることになる。
【００１９】
請求項５に記載の発明は、請求項１から請求項４のいずれか１項記載の空気調和機の室内ユニットにおいて、前記導風板が、空気の吹き出し方向に応じて所定の位置に固定されることを特徴としている。
【００２０】
このような構成とすることで、吹出口から送風される空気は、導風板の固定位置に応じて誘導されることになる。また、換言するならば、導風板の固定位置に応じて目標とする吹き出し空気の到達位置が変更されることになる。
より詳細には、室内ユニットのほぼ真下に送風を必要とする場合であれば、回動する導風板をほぼ垂直に位置させたり、スライドする導風板を最下限に位置させたりする。また、室内ユニットの前方の室内下方に送風を必要とする場合であれば、回動する導風板を僅かに傾けた状態に位置させたり、スライドする導風板をスライドする範囲の中間に位置させたりする。
【００２１】
請求項６に記載の発明は、請求項１から請求項５のいずれか１項記載の空気調和機の室内ユニットにおいて、前記導風板が、前記フロントパネルの長手方向にて複数に分割されていることを特徴としている。
【００２２】
このような構成とすることで、左右方向に長いフロントパネルであれば、筐体にはこの長手方向で複数に分割された各導風板が備えられることになり、各導風板のそれぞれで吹出口から送風される空気が誘導されることになる。従って、例えば、送風される空気の一部をある１つの導風板で所定の方向に導きつつ、他の導風板では別の方向に導く作用が得られることになる。
【００２３】
請求項７に記載の発明は、請求項１から請求項６のいずれか１項記載の空気調和機の室内ユニットにおいて、前記導風板には駆動装置が接続されてなり、該駆動装置は、空調運転の制御を行う制御装置により制御されていることを特徴としている。
【００２４】
このような構成とすることで、制御装置が出力する制御信号等に基づいて駆動装置は駆動力を出力し、この出力に応じて導風板は可動することになる。従って、空気調和機の運転状況に応じた導風板の動作が得られることとなる。
【００２５】
請求項８に記載の発明は、冷媒を圧縮する圧縮機と、冷媒と外気との間で熱交換を行う室外熱交換器と、冷媒と室内空気との間で熱交換を行う室内熱交換機と、冷媒を減圧する膨張機構とを備えて冷凍サイクルが形成された空気調和機において、請求項１から請求項７記載の空気調和機の室内ユニットが備えられていることを特徴としている。
【００２６】
このような構成とすることで、空気調和機が有する圧縮機や、室外熱交換機等の各機器での動作に応じて、室内ユニットに備わる導風板を可動させることが可能となる。
【００２７】
【発明の実施の形態】
次に、本発明の実施形態について、図面を参照して説明する。
［第１の実施形態］
図１は第１の実施形態における室内ユニット１００の構成を説明する断面図である。図に示される符号１１０は室内ユニット１００の外観形状をなす筐体、１２０は筐体１１０の正面に位置するフロントパネル、１２３は回転軸１１１により筐体１１０に対して回動可能に支持された導風板を示している。なお、その他に示される符号の一部は、図６にて説明した従来の室内ユニット１０の構成と同様であるので、同一符号を用いてその説明を一部省略する。
【００２８】
筐体１１０の正面に位置するフロントパネル１２０は、上下高さ方向のほぼ中央である分割部Ｄにて分割されている。そして、分割部Ｄに対して上側の部分は、筐体１１０に固定されたメインフロントパネル１２１である。このメインフロントパネル１２１には、筐体１１０内に室内空気を取り込むためのフィン状に形成されたグリルが備えられている。また、筐体１１０の上面に位置する上面パネル１２２についても、筐体１１０内に室内空気を取り込むためのフィン状に形成されたグリルが備えられている。
【００２９】
破線にて示される分割部Ｄの下側に位置する導風板１２３は、例えば、運転停止時での位置であって、メインフロントパネル１２１の壁面と自らの壁面とが連続する状態でフロントパネル１２０の一部として格納されている。そして、この導風板１２３は、運転開始に合わせて回転軸１１１を中心に回動することが可能とされる。より詳細には、分割部Ｄに位置する導風板１２３の上端部は回動動作における自由端であり、フロントパネル１２０の一部として導風板１２３が位置している状態であれば、導風板１２３の下端部に回転軸１１１が設けられている。従って、導風板１２３は、実線の矢印に示すように回動することが可能とされ、回動によって吹出口Ｂの近傍に配置されることになる。
また、導風板１２３の回転軸１１１の位置を筐体１１０側から特定すると、筐体１１０に形成された吹出口Ｂの開口する上部に位置している。
【００３０】
回転軸１１１には、導風板１２３を回動させるための図示しないモータ（駆動装置）が直接、あるいはベルトやギア等を介して連結されており、モータの出力に応じて導風板１２３は適宜回動する。
また、導風板１２３は、回動範囲のいずれの位置でも停止させることが可能であり、停止した状態で一時的に固定されるように構成されている。
【００３１】
なお、ここに言う導風板１２３を回動させるモータは、空気調和機の運転制御を担う制御装置に制御されて駆動力を出力するものである。そして、送風する空気の温度や、ユーザが設定した設定温度等の情報に基づいて制御装置が、各機器の動作を制御しつつ、これら機器と連動するように該モータの動作が制御されることになる。
【００３２】
さて、このように構成された室内ユニット１００において、空気の流れについて説明する。室内空気は、タンジェンシャルファン１４（室内機ファン）の回転駆動により、上面パネル１２２及びフロントパネル１２０の開口部から筐体１１０内に吸い込まれる。吸い込まれた室内空気は、フィルタ１５を通過することで花粉や埃等が除去された後、室内熱交換器１３を通過する。そして、室内熱交換器１３を通過する空気がこの内部を流れる冷媒と熱交換を行うと、この空気はタンジェンシャルファン１４を通過して吹出口Ｂに導かれる。
【００３３】
吹出口Ｂでは、ルーバ１７によって左右の吹き出し方向が決定され、さらに、フラップ１６の配置角度によって上下の吹き出し方向が決定される。それとともに、導風板１２３は、フラップ１６の動作に合わせてフロントパネル１２０での格納位置から吹出口Ｂの近傍の位置に回動し、吹出口Ｂから送風される空気を室内の所定の位置に誘導するために所定位置まで回動して停止する。
【００３４】
これによって、吹出口Ｂから吹き出された空気は、フラップ１６と、導風板１２３との両方の誘導によって吹き出されることになり、例えば、フラップ１６及び導風板１２３が略水平方向に回動すると、空気は水平方向に吹き出される。また、フラップ１６及び導風板１２３が略鉛直方向に回動すると、空気はほぼ真下に吹き出される。
【００３５】
特に、室内の天井付近に設けられている室内ユニット１００を考慮した上で、暖房運転時に送風する温風は、室内のほぼ真下方向に送風することが望ましいので、導風板１２３は破線で示される位置まで大きく回動し、吹出口Ｂから吹き出される空気を室内の床面に向かって確実に誘導する。つまり、フラップ１６にて下方に向けられた温風は、さらに続く導風板１２３の誘導によって上方に浮き上がることなく下方の床面に到達することになる。
【００３６】
これによって、送風される空気の多くは、多大な風量を必要としないでも室内の低温領域とされた床面に到達し、これに伴って、吹出口Ｂから吹き出された空気は、室内ユニット１００の近隣で浮き上がらなくなり、この空気が室内を循環する前にフロントパネル１２０、あるいは上面パネル１２２から吸い込まれることがなくなる。
【００３７】
そして、運転中にフロントパネル１２０の一部が導風板１２３として機能するので、メインフロントパネル１２１の下方には室内空気を吸い込むための抵抗体がなくなり、筐体１１０内に多くの空気を取り込むことが可能となる。これによって、タンジェンシャルファン１４の消費電力の低減や、吹出口Ｂから吹き出す風量の増大等を得ることができる。
【００３８】
また、運転停止時においては、導風板１２３はフロントパネル１２０の一部として格納されることになるので、室内ユニット１００の美観を損なうことなく、吹き出される空気の誘導を行う導風板１２３を室内ユニット１００に装備することができる。また、導風板１２３がフロントパネル１２０の位置から離間すると、フロントパネル１２０の裏面側に位置するフィルタ１５が露出するので、フィルタ１５の汚損状態を早期に認識することができる。
【００３９】
以上説明した本実施形態における室内ユニット１００によれば、吹出口Ｂから送風される空気を室内の要所とされた位置、特に暖房運転時での床面に確実に到達させることができる。そして、暖房運転時での温風を室内の上方に浮き上がらせることもなくなり、吹き出された空気がすぐに吸い込まれるような問題を回避することができる。また、制御装置が判断する運転状況、例えば、風量や吹出温度に応じて導風板１２３の回動位置を自動変更することもでき、空気の吹き出し方向が適宜変更されることで運転に適した吹き出し方向が導かれ、且つ、送風する空気を目標とする位置に的確に到達させることができる。
従って、ユーザが要求する室内空気の調和を確実に得る空気調和機の室内ユニットを実現することができる。
【００４０】
また、運転時にフロントパネル１２０の一部が導風板１２３として離間するので、室内空気を吸い込む際の吸入抵抗が低減され、風量の増大と、タンジェンシャルファン１４の動力低減が得られる。また、比較的大きな導風板１２３を備えても運転停止時ではフロントパネル１２０として格納されるので、室内ユニット１００の美観を損なうことがない。また、フィルタ１５の汚損状態を認識しやすいので、清掃の必要性が判断しやすく、清掃を行う際にも容易に実施することができる。
【００４１】
なお、本実施形態に示した導風板１２３は、分割部Ｄを挟んでメインフロントパネル１２１と高さ方向が同等となるように形成されたものを説明したが、これに限定されるものではない。つまり、分割部Ｄの位置は、フロントパネル１２０のほぼ中央から上側であってもよいし、下側であってもよい。従って、導風板１２３をより大きく形成して空気を誘導する能力を高めることも可能である。
【００４２】
また、導風板１２３は、室内空気の吸い込み用のグリルを備えない構成として説明したが、フロントパネル１２０に格納された状態であっても、室内空気を吸い込めるようにグリルやスリット等を備える構成であってもよい。なお、グリル等を導風板１２３に設ける場合、送風される空気が導風板１２３を通り抜けないようにグリル等を形成することが望ましい。
【００４３】
また、導風板１２３は、回転軸１１１に連結されたモータによって回動する構造にて説明したが、手動で回動させる構造を用いることとしてもよい。導風板１２３を手動で回動させる場合であれば、回転軸１１１での回動における抵抗を高め、適宜な位置で停止し固定できるように構成することが望ましい。
【００４４】
また、図１に示す導風板１２３は、左右方向に長尺とされた１枚の部材で形成される構成を示したが、図２に示されるように左右方向で複数に分割したものであってもよい。図２（ａ）は左右２枚に分割したものであり、右導風板１２３ａと左導風板１２３ｂとは同調して回動したり、図に示すように一方が回動して他方がフロントパネル１２０の位置に格納されたままで動作するものであってもよい。
従って、図のように動作した場合であれば、回動した右導風板１２３ａによって右側から送風される空気は誘導されることになり、左側から送風される空気はフラップ１６のみによって上下方向の送風方向が決定される。
【００４５】
また、図２（ｂ）には、導風板が左右方向で３つに分割された場合を示している。右導風板１２３ａと、中央導風板１２３ｃと、左導風板１２３ｂとからなり、それぞれ独立して回動可能とされている。
従って、図に示すように中央導風板１２３ｃのみを回動させた場合であれば、吹出口Ｂの中央から送風される空気は、室内ユニット１００の下方に確実に到達し、その両側から送風される空気は、比較的広範囲に渡って室内に送風されることになる。
このように、導風板を分割して構成することで、吹出口Ｂからの吹き出し方向を多様に得ることができ、あらゆる運転状況に対応することができる。
【００４６】
［第２の実施形態］
次に、本発明に係る第２の実施形態について図３を用いて説明する。図３は第１の実施形態に示した室内ユニット１００に比較して導風板の形状及び構造が異なるので、その点について説明し、その他の構成については第１の実施形態の室内ユニット１００と同様であるので、同一符号を用いてその説明を一部省略する。
【００４７】
本実施形態における導風板１２４は、第１導風板部材１２４ａと、第２導風板部材１２４ｂとの組み合わせによって構成されている。第１導風板部材１２４ａと、第２導風板部材１２４ｂとは、室内ユニット１００の高さ方向にてほぼ同等な寸法を有して形成され、フロントパネル１２０に位置する場合には、これら各導風板部材１２４ａ，１２４ｂの一端側に位置する第２の回転軸１１２を回転中心として折り畳まれている。このように構成された導風板１２４は、第１導風板部材１２４ａの一端部側に位置する第１の回転軸１１１を中心に回動する。
また、フロントパネル１２０の一構成要素であるメインフロントパネル１２１は、折り畳まれた際の導風板１２４の高さ寸法に合わせて形成されている。
【００４８】
例えば、運転停止時の導風板１２４は、図の実線で示すように第２の回転軸１１２にて折り畳まれた状態とされ、運転開始が開始されると、吹出口Ｂ近傍の第１の回転軸１１１を中心に回動する。すると、実線の矢印に示すように回動動作がなされ、第１導風板部材１２４ａと第２導風板部材１２４ｂとが重なったままの状態で停止すべき固定位置に配置される。
【００４９】
次に、導風板１２４を構成する第２導風板部材は、第２の回転軸１１２を中心に破線の矢印に示すように回動することになり、導風板１２４の全長は元の寸法の約２倍に拡大することになる。
第２の回転軸１１２は、第１導風板部材１２４ａと第２導風板部材を回動可能に連結する部分であって、構造の簡略化を得るために、この回転軸１１２にはモータ等の駆動装置を備えない構成とされている。駆動装置を備えないため、第２導風板部材は、ユーザが直接触れることで動作することになるが、もちろん駆動装置を備えるものであってもよい。
また、本実施形態における導風板１２４を左右方向で複数に分割することや、第１の回転軸１１１を回転させるモータ等の駆動装置の有無については、これに限定解釈されるものではない。
【００５０】
以上説明した第２の実施形態における室内ユニット１０１によれば、導風板１２４がフロントパネル１２０に格納される際には、この面積が低減されて該導風板１２４を回動させずにフロントパネル１２０に位置させた場合であっても吸い込み抵抗の低減を図ることができる。そして、導風板１２４を吹出口Ｂ近傍に回動させた場合には、導風板１２４の全長を長くすることができ、空気の誘導をより的確に得ることができる。
【００５１】
［第３の実施形態］
次に、本発明に係る第３の実施形態について図４を用いて説明する。図４に示される室内ユニット１０２は、第１または第２の実施形態に示した室内ユニット１００，１０１の構成に比較して導風板の形状及び構造が異なるので、その点について説明し、その他の構成については第１または第２の実施形態と同様であるので、同一符号を用いてその説明を一部省略する。
【００５２】
本実施形態における導風板１２５は、略上下方向にスライドするように構成されている。より詳細には、筐体１１０には、導風板１２５の両側（左右両側）をスライド可能に支持しつつ、導風板１２５のぶれを拘束するレール状の図示しない溝部（スライド手段）が形成される。また、溝部に沿って導風板１２５をスライドさせるための図示しない駆動装置（スライド手段）が筐体１１０の所定の位置に設けられている。
【００５３】
導風板１２５は、駆動装置の出力に応じてほぼ上下方向にスライドするととともに、スライドする範囲内の適宜な位置に停止して固定される。これによって、固定された導風板１２５の配置に応じて、吹出口Ｂから送風される空気は室内の目標とする位置に誘導されて到達することになる。
【００５４】
もちろん手動でスライドさせる構成であってもよく、この場合、レール状の溝部の一部に段差等を設け、該段差に導風板１２５の下端部を引っ掛ける構造を形成することや、スライドさせる際の摺動抵抗を増大させて導風板１２５を保持可能とする構造等を用いることが望ましい。
また、本実施形態に示す導風板１２５においても、左右方向で分割することとしてもよい。
【００５５】
以上説明した本実施形態における室内ユニット１０２によれば、導風板１２５がスライドして吹出口Ｂからの空気を誘導する構成とされるので、導風板１２５のスライド位置によって、温風等を室内の下方に導くことができるようになる。また、導風板１２５が筐体１１０に設けられた溝部によって支持されることになるので、導風板１２５の取り付け剛性が高く確保されて動作及び配置させることが可能となる。
【００５６】
［第４の実施形態］
次に、本発明に係る第４の実施形態について図５を用いて説明する。図５に示される室内ユニット１０３は、第１、第２または第３の実施形態に示した室内ユニット１００，１０１，１０２の構成に比較して導風板の形状及び構造が異なるので、その点について説明し、その他の構成については第１、第２または第３の実施形態と同様であるので、同一符号を用いてその説明を一部省略する。
【００５７】
本実施形態に示される導風板１２６は、この両側（左右方向）に、第３の実施形態にて説明したようなレール状の溝部に沿って摺動する凸部（図示せず）が形成され、さらに図示しないリンク部材が摺動可能に組み合わされる別の凸部が形成されている。
【００５８】
リンク部材は、この部材の所定の位置に回転軸を有しており、この回転軸を中心に回動可能とされる。そして、導風板１２６が組み合わされる部分に長尺な穴が形成されている。また、リンク部材の上記回転軸には、駆動装置の出力軸が連結されている。
【００５９】
このようにリンク部材等からなる構成は、本発明に言うリンク機構であり、駆動装置がリンク部材を回動させると、導風板１２６は筐体１１０側の溝部に自らの凸部によって拘束されながらリンク部材に組み合わされた導風板１２６の凸部が摺動し、破線で示されるように連続的に可動することになる。
【００６０】
従って、リンク部材による複数の回動動作の組み合わせにより、導風板１２６はフロントパネル１２０での格納位置から吹出口Ｂの近傍の位置に可動することになる。
【００６１】
以上説明した本実施形態における室内ユニット１０３によれば、リンク部材を介して導風板１２６が吹出口Ｂの近傍に可動することが可能とされるので、駆動装置を導風板１２６に直接接続しなくても、送風される空気を誘導できる位置まで動作させることができる。従って、駆動装置を室内ユニット１０３の空いているスペースに設置することができ、設置における自由度が高められる。
【００６２】
なお、リンク機構は、先に説明した各実施形態に組み合わせて採用することも可能である。また、リンク機構には必ずしも駆動装置を設ける必要がないので、手動で可動させるリンク機構を構成してもよい。
また、本実施形態に示す導風板１２６においても、左右方向で分割することとしてもよい。
【００６３】
【発明の効果】
以上説明した本発明の空気調和機の室内ユニットによれば以下の効果を奏する。
請求項１記載の発明によれば、フロントパネルの一部として形成されるとともに、可動することによって吹出口から送風される空気を誘導する導風板が備えられた空気調和機の室内ユニットとされているので、吹出口から送風される空調された空気を目標とする方向に導きやすくなる。従って、例えば、暖房運転時において室内の上方に浮き上がりやすい温風を、低温領域である室内の下方に的確に導くことができるようになる。これによって、室内空気の調和をより的確に実現することができる。また、吸い込まれる空気と吹き出される空気とがそれぞれ隔てられるので、吹き出された空気が再び室内ユニットに吸い込まれることがなくなり、空調を行う上での効果的な空気の循環が得られる。
【００６４】
請求項２記載の発明によれば、導風板が、フロントパネルの一部として位置した場合での下端部近傍に回転軸を有し、該回転軸により筐体に対して回動可能とされているので、可動する導風板を容易に形成できるとともに、導風板を自在に回動させて空調された空気を室内の要所に的確に送風することができる。
【００６５】
請求項３記載の発明によれば、筐体に導風板をスライドさせるスライド手段を備えて、導風板がスライド手段により略上下方向にスライドするように構成されているので、フロントパネルに位置した導風板がスライド手段によって吹出口の近傍に位置することが可能となり、室内の下方に温風等を導くことができるようになる。また、剛性を確保して導風板を動作及び配置させることが可能となる。
【００６６】
請求項４記載の発明によれば、導風板が、筐体に取り付けられたリンク機構によって可動する構成とされているので、リンク機構を介して導風板を可動させるための、例えば、駆動装置等を配置場所が導風板の回転軸等の近傍に制限されなくなり、設置の自由度が高められる。従って、あらゆる機器を有して構成される室内ユニットであっても、導風板を可動させる構造を確実に得ることができる。
【００６７】
請求項５記載の発明によれば、導風板は、空気の吹き出し方向に応じて所定の位置に固定されるので、室内の要所に空調された空気を的確に導くことができ、室内空気の調和をあらゆる状況下で的確に得ることができる。
【００６８】
請求項６記載の発明によれば、導風板がフロントパネルの長手方向にて複数に分割された構成とされているので、分割された導風板のそれぞれに応じて送風する空気の吹き出し方向を得ることができ、要求に応じてより効果的な室内空気の調和を図ることができる。
【００６９】
請求項７記載の発明によれば、導風板に連結された駆動装置が、空調運転の制御を行う制御装置により制御されているので、空気調和機の運転状況に応じた導風板の動作が得られることになり、空調された空気の最適な送風を自動で行うことができる。
【００７０】
請求項８記載の発明によれば、空気調和機に請求項１から請求項７記載の空気調和機の室内ユニットが備えられているので、空気調和機における総合的な運転状況に応じて最適な送風を行うことができる。
【図面の簡単な説明】
【図１】本発明に係る第１の実施形態の室内ユニットの構成を説明する断面図である。
【図２】第１の実施形態における室内ユニットの構成の変形例を説明する斜視図である。
【図３】本発明に係る第２の実施形態の室内ユニットの構成を説明する断面図である。
【図４】本発明に係る第３の実施形態の室内ユニットの構成を説明する断面図である。
【図５】本発明に係る第４の実施形態の室内ユニットの構成を説明する断面図である。
【図６】従来より用いられている空気調和機の全体構成を説明する斜視図である。
【図７】従来より用いられている室内ユニットの構成を説明する断面図である。
【符号の説明】
１００，１０１，１０２，１０３　室内ユニット
１１０　筐体
１１１　回転軸
１２０　フロントパネル
１２３，１２４，１２５，１２６　導風板
Ｂ　吹出口
【図１】
2004012060.tif 000003
【図２】
2004012060.tif 000004
【図３】
2004012060.tif 000005
【図４】
2004012060.tif 000006
【図５】
2004012060.tif 000007
【図６】
2004012060.tif 000008
【図７】
2004012060.tif 000009